(57)【要約】  【課題】タンクの給油口に設置される給油フィルタの清掃を容易に行えるようにする。  【解決手段】燃料タンク１９の給油口２２の内側に係止部２５を設け、筒状に形成された給油フィルタ２３のフランジ２４を前記給油口２２の係止部２５に係止する。前記フランジ２４には、上方へ向けて把持部２６を設け、作業者が把持部２６を把持して給油フィルタ２３を給油口２２の外へ取り出せるように形成する。【選択図】図２
2005171727.tif 000002
【特許請求の範囲】
【請求項１】
タンクの給油口に設置される給油フィルタであって、該給油フィルタの上面開口部に把持部を設けたことを特徴とする建設機械の給油フィルタ。
【請求項２】
上記把持部が給油フィルタの上面開口部に対して起立・倒回可能に形成された請求項１記載の建設機械の給油フィルタ。
【発明の詳細な説明】
【技術分野】
【０００１】
本発明は建設機械の給油フィルタに関するものであり、特に、清掃の容易な給油フィルタに関するものである。
【背景技術】
【０００２】
従来、此種建設機械では、図８に示すように、タンク１の上部に設けられた給油口２に筒状の給油フィルタ３が嵌め込まれ、油に混入した不純物を該給油フィルタ３にて捕集してタンク１内に侵入しないようにしている。該給油フィルタ３の上面開口部には、外側に拡径されたフランジ４が延設されており、前記給油口２の内側に設けられた係止部５に前記フランジ４が係止されて、給油フィルタ３が落下しないようにしている。
【０００３】
また、給油フィルタ（ストレーナ）本体に昇降可能なレベルゲージ用フロートを設け、タンクへ給油する際に、給油口に於ける液面が所定高さに達したときに、前記レベルゲージ用フロートが浮上してその一部分が給油フィルタ本体から上方に突出し、作業者がタンク内に油が充満してきたことを確認できるようにしたものも知られている（例えば、特許文献１参照）。
【特許文献１】実用新案登録第２５０８２８６号公報
【発明の開示】
【発明が解決しようとする課題】
【０００４】
図８に示した従来の給油フィルタ、並びに、特許文献１記載の給油フィルタは、何れも上面開口部に設けたフランジを給油口に係止させてある。該給油フィルタを清掃する場合は給油フィルタを外へ取り出す必要があるが、該給油フィルタに把持する箇所がないため、極めて取り出し難いという不具合がある。
【０００５】
そこで、タンクの給油口に設置される給油フィルタの清掃を容易に行えるようにするために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、タンクの給油口に設置される給油フィルタであって、該給油フィルタの上面開口部に把持部を設けた建設機械の給油フィルタを提供する。
【０００７】
前記把持部は給油フィルタの上面開口部に突出しており、作業者が該把持部を把持して給油フィルタを引き上げれば、該給油フィルタが給油口の外へ取り出される。
【０００８】
請求項２記載の発明は、上記把持部が給油フィルタの上面開口部に対して起立・倒回可能に形成された建設機械の給油フィルタを提供する。
【０００９】
前記把持部を起立させれば、作業者が該把持部を把持可能な状態となり、前記把持部を倒回させれば、把持部が給油フィルタの上面開口部に接近して収納状態となる。
【発明の効果】
【００１０】
請求項１記載の発明は、給油フィルタの上面開口部に把持部を設けたことにより、作業者が該把持部を把持して外へ取り出し易くなり、給油フィルタの清掃が極めて容易となる。
【００１１】
請求項２記載の発明は、把持部が起立・倒回可能であるので、比較的高さが高い把持部を設けて、給油フィルタを給油口の上面から深い箇所に設置することができる。従って、タンクを設計する際に形状の自由度を向上できる。
【発明を実施するための最良の形態】
【００１２】
以下、本発明に係る建設機械の給油フィルタ装置について、好適な実施例をあげて説明する。タンクの給油口に設置される給油フィルタの清掃を容易に行えるようにするという目的を、給油フィルタの上面開口部に把持部を設けて把持し易く形成したことにより実現した。
【実施例１】
【００１３】
図１は建設機械の一例として油圧ショベル１０を示し、下部走行体１１の上に旋回機構１２を介して上部旋回体１３が旋回自在に載置されている。上部旋回体１３にはその前方一側部にキャブ１４が設けられ、且つ、前方中央部にブーム１５が俯仰可能に取り付けられている。更に、ブーム１５の先端にアーム１６が上下回動自在に取り付けられ、該アーム１６の先端にバケット１７が取り付けられている。
【００１４】
また、上部旋回体１３の後部にはエンジン１８を横向きに搭載してあり、該エンジン１８の前方部に油圧ポンプをはじめとする各種機器（図示せず）が設けられ、更に、燃料タンク１９及び作動油タンク２０が取り付けられている。これらエンジン１８や各種機器並びに燃料タンク１９等はハウスカバー２１にて被蔽されている。
【００１５】
図２は燃料タンク１９の内部を示し、該燃料タンク１９の上面に給油口２２が設けられ、この給油口２２の内側に給油フィルタ２３が設置されている。該給油フィルタ２３は給油口２２と略同じ開口部を有する筒状に形成され、該給油フィルタ２３の上面開口部には、外側に拡径されたフランジ２４が延設されており、前記給油口２２の内側に設けられた係止部２５に前記フランジ２４が係止されて、給油フィルタ２３が落下しないようにしている。
【００１６】
ここで、前記給油フィルタ２３のフランジ２４には、上方へ向けて把持部２６が設けられている。該把持部２６の形状は特に限定すべきではないが、例えば図３に示すように、丸棒または丸パイプを逆Ｕ字形に湾曲させた把持部２６ａを前記フランジ２４の上面に固設する。
【００１７】
また、図４に示すように、半円形のプレートに作業者の指を挿入可能に孔２７を開穿した把持部２６ｂを前記フランジ２４の上面に固設してもよい。或いは、図５に示すように、丸棒または丸パイプをＴ字形にした把持部２６ｃを前記フランジ２４の上面に固設することもできる。
【００１８】
而して、作業者が上記把持部２６を把持して給油フィルタ２３を引き上げれば、該給油フィルタ２３が給油口２２の外へ取り出される。このように、給油フィルタ２３の取り出しが簡単であるため、該給油フィルタ２３の清掃が極めて容易となる。
【実施例２】
【００１９】
次に、図６及び図７に従って実施例２について説明する。尚、説明の都合上、実施例１にて説明した構成と同一構成部分には同一符号を付してその説明を省略する。
【００２０】
同図に示すように、前記給油フィルタ２３のフランジ２４の両側にブラケット２８を対峙して設け、略半円形状に湾曲した把持部２６ｄの両端部を屈曲させて前記ブラケット２８に枢着し、該把持部２６ｄを前記給油フィルタ２３の上面開口部即ちフランジ２４に対して起立・倒回可能に形成する。
【００２１】
斯かる構成の場合、前記把持部２６ｄを起立させれば、作業者が該把持部２６ｄを把持可能な状態となり、前記把持部２６ｄを倒回させれば、把持部２６ｄが給油フィルタ２３のフランジ２４に接近して収納状態となる。このように、把持部２６ｄが起立・倒回可能であるので、比較的高さが高い把持部２６ｄを設けて、給油フィルタ２３を給油口２２の上面から深い箇所、例えば図示したように、従来型よりも高さＨに相当する分だけ深い位置に設置することができる。従って、タンクを設計する際に、形状の自由度を向上できる。
【００２２】
尚、本発明は、本発明の精神を逸脱しない限り種々の改変を為すことができ、そして、本発明が該改変されたものに及ぶことは当然である。
【図面の簡単な説明】
【００２３】
【図１】本発明の実施例１を示し、油圧ショベルの側面図。
【図２】実施例１の給油フィルタが設置された燃料タンクの給油口の縦断面図。
【図３】図２のＡ矢視部分に於ける把持部の一例を示す拡大正面図。
【図４】図２のＡ矢視部分に於ける把持部の他の一例を示す拡大正面図。
【図５】図２のＡ矢視部分に於ける把持部の更に他の一例を示す拡大正面図。
【図６】実施例２の給油フィルタが設置された燃料タンクの給油口の縦断面図。
【図７】図６のＢ矢視方向からみた燃料タンクの給油口の縦断面図。
【図８】従来型の給油フィルタが設置された燃料タンクの給油口の縦断面図。
【符号の説明】
【００２４】
１０  油圧ショベル
１９  燃料タンク
２２  給油口
２３  給油フィルタ
２４  フランジ
２６  把持部
２６ａ，２６ｂ，２６ｃ，２６ｄ  把持部
２７  孔
２８  ブラケット
【図１】
2005171727.tif 000003
【図２】
2005171727.tif 000004
【図３】
2005171727.tif 000005
【図４】
2005171727.tif 000006
【図５】
2005171727.tif 000007
【図６】
2005171727.tif 000008
【図７】
2005171727.tif 000009
【図８】
2005171727.tif 000010